(57)【要約】  標本内での核タンパク質の発現量を正確に定量できる生体物質定量方法、病理診断支援システム及びプログラムを提供する。  本発明の生体物質定量方法は、蛍光物質を内包した蛍光粒子を含む染色試薬を用いて染色された標本から、前記蛍光物質の蛍光に基づいて生体物質を定量する生体物質定量方法であって、前記標本における前記生体物質の発現を蛍光輝点で表す蛍光画像を入力する入力工程と、前記蛍光輝点の蛍光に基づいて前記生体物質の発現量を定量する定量工程と、を含み、前記生体物質は細胞核に発現する核タンパク質であり、前記蛍光粒子は前記生体物質を抗原とする一次抗体を介して前記生体物質に結合することを特徴とする生体物質定量方法が提供される。
2016117466.tif 000002
【特許請求の範囲】
【請求項１】
蛍光物質を内包した蛍光粒子を含む染色試薬を用いて染色された標本から、前記蛍光物質の蛍光に基づいて生体物質を定量する生体物質定量方法において、
前記標本における前記生体物質の発現を蛍光輝点で表す蛍光画像を入力する入力工程と、
前記蛍光輝点の蛍光に基づいて前記生体物質の発現量を定量する定量工程と、
を含み、
前記生体物質は細胞核に発現する核タンパク質であり、
前記蛍光粒子は前記生体物質を抗原とする一次抗体を介して前記生体物質に結合することを特徴とする生体物質定量方法。
【請求項２】
前記一次抗体はモノクローナル抗体であることを特徴とする請求項１に記載の生体物質定量方法。
【請求項３】
前記蛍光粒子は、前記一次抗体を抗原とする二次抗体を介して前記生体物質に結合し、
前記二次抗体はモノクローナル抗体であることを特徴とする請求項１又は２に記載の生体物質定量方法。
【請求項４】
前記核タンパク質がＫｉ６７であることを特徴とする請求項１〜３の何れか一項に記載の生体物質定量方法。
【請求項５】
前記染色試薬は、相異なる発光波長の蛍光物質を含む２種類以上の試薬を混合した混合試薬であり、
前記２種類以上の試薬は、前記相異なる発光波長の蛍光物質を用いて同一種類の前記生体物質を染色可能であり、
前記入力工程において、前記標本における前記生体物質の発現を前記混合試薬に含まれる蛍光物質の蛍光に基づく蛍光輝点で表す蛍光画像が、前記蛍光物質の発光波長ごとに入力され、
前記定量工程において、前記蛍光物質の発光波長ごとに入力された前記蛍光画像における前記蛍光輝点の蛍光に基づいて、前記生体物質の発現量が定量され、
前記蛍光物質の発光波長ごとに定量された前記生体物質の発現量を加算する加算工程を有することを特徴とする請求項１〜４の何れか一項に記載の生体物質定量方法。
【請求項６】
前記染色試薬は、相異なる発光波長の蛍光物質を含む３種類以上の試薬を混合した混合試薬であり、
前記３種類以上の試薬は、前記相異なる発光波長の蛍光物質を用いて同一種類の前記生体物質を染色可能であることを特徴とする請求項５に記載の生体物質定量方法。
【請求項７】
前記蛍光粒子の平均粒径は、５０ｎｍ以上１００ｎｍ未満であることを特徴とする請求項５又は６に記載の生体物質定量方法。
【請求項８】
前記入力工程において、超解像顕微鏡を用いて前記蛍光画像を入力することを特徴とする請求項５〜７の何れか一項に記載の生体物質定量方法。
【請求項９】
蛍光物質を内包した蛍光粒子を含む染色試薬を用いて染色された標本から、前記蛍光物質の蛍光に基づいて生体物質を定量する病理診断支援システムであって、
前記標本における前記生体物質の発現を蛍光輝点で表す蛍光画像を入力する入力手段と、
前記蛍光輝点の蛍光に基づいて前記生体物質の発現量を定量する定量手段と、
を備え、
前記生体物質が細胞核に発現する核タンパク質であり、
前記蛍光粒子は、前記生体物質を抗原とする一次抗体を介して前記生体物質に結合することを特徴とする病理診断支援システム。
【請求項１０】
蛍光物質を内包した蛍光粒子を含む染色試薬を用いて染色された標本から、前記蛍光物質の蛍光に基づいて生体物質を定量するコンピュータを、
前記標本における前記生体物質の発現を蛍光輝点で表す蛍光画像を入力する入力手段、
前記蛍光輝点の蛍光に基づいて前記生体物質の発現量を定量する定量手段、
として機能させ、
前記生体物質が細胞核に発現する核タンパク質であり、
前記蛍光粒子は、前記生体物質を抗原とする一次抗体を介して前記生体物質に結合することを特徴とするプログラム。
【発明の詳細な説明】
【技術分野】
【０００１】
本発明は、蛍光物質の輝度情報を用いた生体物質定量方法、病理診断支援システム及びプログラムに関する。
【背景技術】
【０００２】
病理診断において、組織切片等の標本で過剰発現をしているタンパク質及びその発現量を特定することは、予後の予測やその後の治療計画を決める上で非常に重要な情報となり得る。
例えば、Ｋｉ６７タンパクのように、細胞分裂中に核内に発現するタンパクの発現を評価して、様々な腫瘍の増殖性・悪性度が判断されている。【０００３】
特許文献１には、乳がん患者から採取した細胞中の、Ｋｉ６７が発現している細胞数または発現量に基づいて、癌の再発リスクを判定する方法が記載されている。
【先行技術文献】
【特許文献】
【０００４】
【特許文献１】特開２０１１−２０９２２０号公報
【発明の概要】
【発明が解決しようとする課題】
【０００５】
特許文献１においては、具体的には、酵素を用いた色素染色法（例えば、ＤＡＢ染色）によりＫｉ６７を標識している。この染色法では、発現の有無を判定してＫｉ６７が発現している細胞を抽出することは比較的容易であるが、発現量の定量においては精度が低く再現性が悪いため、発現レベルの定量評価ができないという問題点があった。【０００６】
本発明の主な目的は、標本内の核タンパク質の発現量を正確に定量できる生体物質定量方法、病理診断支援システム及びプログラムを提供することにある。
【課題を解決するための手段】
【０００７】
上記課題を解決するため、本発明の一態様によれば、
蛍光物質を内包した蛍光粒子を含む染色試薬を用いて染色された標本から、前記蛍光物質の蛍光に基づいて生体物質を定量する生体物質定量方法において、
前記標本における前記生体物質の発現を蛍光輝点で表す蛍光画像を入力する入力工程と、
前記蛍光輝点の蛍光に基づいて前記生体物質の発現量を定量する定量工程と、
を含み、
前記生体物質は細胞核に発現する核タンパク質であり、
前記蛍光粒子は前記生体物質を抗原とする一次抗体を介して前記生体物質に結合することを特徴とする生体物質定量方法が提供される。【０００８】
本発明の他の態様によれば、
前記一次抗体はモノクローナル抗体であることを特徴とする生体物質定量方法が提供される。
また、本発明の他の態様によれば、
前記蛍光粒子は、前記一次抗体を抗原とする二次抗体を介して前記生体物質に結合し、
前記二次抗体はモノクローナル抗体であることを特徴とする生体物質定量方法が提供される。
複数種類の抗体を含むポリクローナル抗体は、抗原上の複数の抗原決定基と反応するため、ポリクローナル抗体を用いた免疫染色によれば、モノクローナル抗体を用いた場合と比較して、特定タンパクの発現を高感度に検出できることが知られる。しかし、本発明は、モノクローナル抗体を用いても生体物質の発現を高感度に検出可能であるという点で、従来の染色方法による生体物質の定量とは特徴を異にする。【０００９】
本発明の他の態様によれば、
前記染色試薬は、相異なる発光波長の蛍光物質を含む２種類以上の試薬を混合した混合試薬であり、
前記２種類以上の試薬は、前記相異なる発光波長の蛍光物質を用いて同一種類の前記生体物質を染色可能であり、
前記入力工程において、前記標本における前記生体物質の発現を前記混合試薬に含まれる蛍光物質の蛍光に基づく蛍光輝点で表す蛍光画像が、前記蛍光物質の発光波長ごとに入力され、
前記定量工程において、前記蛍光物質の発光波長ごとに入力された前記蛍光画像における前記蛍光輝点に基づいて、前記生体物質量が定量され、
前記蛍光物質の発光波長ごとに定量された前記生体物質量が加算される加算工程を有することを特徴とする生体物質定量方法が提供される。
定量する生体物質が、例えばＫｉ６７のように細胞核に高密度に発現する核タンパク質である場合、互いに近接した複数の生体物質の発現に対応する複数の蛍光粒子は１つの輝点として計測される確率が高く、定量性が悪化する。その場合には、同じ種類の生体物質を染色可能な２色以上の蛍光粒子を用いて染色を行うことにより、顕微鏡の分解能の限界よりも近接した粒子を識別して観察することができるため、分解能が比較的低い顕微鏡を用いた場合であっても、標本内の生体物質の発現量の定量精度を高めることができる。
【発明の効果】
【００１０】
本発明によれば、標本内の核タンパク質の発現量を正確に定量できる。
【図面の簡単な説明】
【００１１】
【図１】本発明の生体物質定量方法を用いた病理診断支援システムのシステム構成を示す図である。
【図２】図１の画像処理装置の機能的構成を示すブロック図である。
【図３】明視野画像の一例を示す図である。
【図４】蛍光画像の一例を示す図である。
【図５】図２の制御部により実行される画像解析処理を示すフローチャートである。
【図６】図５のステップＳ２の処理の詳細を示すフローチャートである。
【図７Ａ】明視野画像を示す図である。
【図７Ｂ】細胞が抽出された画像を示す図である。
【図８】図５のステップＳ４の処理の詳細を示すフローチャートである。
【図９Ａ】蛍光画像を示す図である。
【図９Ｂ】輝点領域が抽出された画像を示す図である。
【発明を実施するための形態】
【００１２】
以下、図を参照して本発明を実施するための形態について説明するが、本発明はこれらに限定されない。
【００１３】
＜病理診断支援システム１００の構成＞
図１に、本発明の生体物質定量方法を用いた病理診断支援システム１００の全体構成例を示す。病理診断支援システム１００は、所定の染色試薬で染色された標本の顕微鏡画像を取得し、取得された顕微鏡画像を解析することにより、観察対象の組織標本における特定の生体物質の発現を定量的に表す特徴量を出力するシステムである。
【００１４】
図１に示すように、病理診断支援システム１００は、顕微鏡画像取得装置１Ａと、画像処理装置２Ａがケーブル３Ａ等のインターフェースを介してデータ送受信可能に接続されて構成されている。なお、顕微鏡画像取得装置１Ａと画像処理装置２Ａとの接続方式は特に限定されない。例えば、顕微鏡画像取得装置１Ａと画像処理装置２ＡはＬＡＮ（Local  Area  Network）により接続されることとしてもよいし、無線により接続される構成としてもよい。
さらに、病理診断支援システム１００は標本の染色を自動で行う染色装置を備えても良い。
【００１５】
顕微鏡画像取得装置１Ａは、公知のカメラ付き光学顕微鏡であり、スライド固定ステージ上に載置されたスライド上の組織標本の顕微鏡画像を取得し、画像処理装置２Ａに送信するものである。
顕微鏡画像取得装置１Ａは、照射手段、結像手段、撮像手段、通信Ｉ／Ｆ等を備えて構成されている。照射手段は、光源、フィルター等により構成され、スライド固定ステージに載置されたスライド上の組織標本に光を照射する。結像手段は、接眼レンズ、対物レンズ等により構成され、照射した光によりスライド上の組織標本から発せられる透過光、反射光、又は蛍光を結像する。撮像手段は、ＣＣＤ（Charge  Coupled  Device)センサー等を備え、結像手段により結像面に結像される像を撮像して顕微鏡画像のデジタル画像データを生成する顕微鏡設置カメラである。通信Ｉ／Ｆは、生成された顕微鏡画像の画像データを画像処理装置２Ａに送信する。本実施の形態において、顕微鏡画像取得装置１Ａは、明視野観察に適した照射手段及び結像手段を組み合わせた明視野ユニット、蛍光観察に適した照射手段及び結像手段を組み合わせた蛍光ユニットが備えられており、ユニットを切り替えることにより明視野／蛍光を切り替えることが可能である。
【００１６】
なお、顕微鏡画像取得装置１Ａとしては、例えば、国際公開第２０１４／００５１９５号パンフレットに記載された構造化照明法(ＳＩＭ:Structured  Illumination  Microscopy)を用いて画像を取得する超解像顕微鏡を用いてもよい。構造化照明法を用いた超解像顕微鏡によれば、視野全体を２本のコヒーレントビームで照明して試料上に縞状の光格子を作製し、モアレ効果を利用して従来捕えられなかった回折光を取り込んで解析することにより、解像度の高い顕微鏡画像を取得可能である。従来の光学顕微鏡の解像度（接近している２点を識別できる最小の距離）は、光の回折限界により、およそ２００ｎｍであるが、構造化照明法を用いた超解像顕微鏡によれば、約１００ｎｍの解像度が実現される。
【００１７】
なお、顕微鏡画像取得装置１Ａとしては、カメラ付き顕微鏡に限定されず、例えば、顕微鏡のスライド固定ステージ上のスライドをスキャンして組織標本全体の顕微鏡画像を取得するバーチャル顕微鏡スライド作成装置（例えば、特表２００２−５１４３１９号公報参照）等を用いてもよい。バーチャル顕微鏡スライド作成装置によれば、スライド上の組織標本全体像を表示部で一度に閲覧可能な画像データを取得することができる。
【００１８】
画像処理装置２Ａは、顕微鏡画像取得装置１Ａから送信された顕微鏡画像を解析することにより、観察対象の組織標本における特定の生体物質の発現分布を算出する。
図２に、画像処理装置２Ａの機能構成例を示す。図２に示すように、画像処理装置２Ａは、制御部２１、操作部２２、表示部２３、通信Ｉ／Ｆ２４、記憶部２５等を備えて構成され、各部はバス２６を介して接続されている。
【００１９】
制御部２１は、ＣＰＵ（Central  Processing  Unit）、ＲＡＭ（Random  Access  Memory）等を備えて構成され、記憶部２５に記憶されている各種プログラムとの協働により各種処理を実行し、画像処理装置２Ａの動作を統括的に制御する。例えば、制御部２１は、記憶部２５に記憶されているプログラムとの協働により画像解析処理（図５参照）を実行し、生体物質の発現量を定量する定量工程及び加算工程を実行する手段としての機能を実現する。
【００２０】
操作部２２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部２１に出力する。
【００２１】
表示部２３は、例えば、ＣＲＴ（Cathode  Ray  Tube）やＬＣＤ（Liquid  Crystal  Display）等のモニタを備えて構成されており、制御部２１から入力される表示信号の指示に従って、各種画面を表示する。本実施の形態において、表示部２３は、画像解析結果を出力するための出力手段として機能する。
【００２２】
通信Ｉ／Ｆ２４は、顕微鏡画像取得装置１Ａをはじめとする外部機器との間でデータ送受信を行なうためのインターフェースである。通信Ｉ／Ｆ２４は、明視野画像と蛍光画像の入力手段として機能する。
【００２３】
記憶部２５は、例えばＨＤＤ（Hard  Disk  Drive）や半導体の不揮発性メモリー等で構成されている。記憶部２５には、前述のように各種プログラムや各種データ等が記憶されている。
その他、画像処理装置２Ａは、ＬＡＮアダプターやルーター等を備え、ＬＡＮ等の通信ネットワークを介して外部機器と接続される構成としてもよい。
【００２４】
本実施の形態における画像処理装置２Ａは、顕微鏡画像取得装置１Ａから送信された明視野画像及び蛍光画像を用いて解析を行うことが好ましい。
明視野画像は、Ｈ（ヘマトキシリン）染色試薬、ＨＥ（ヘマトキシリン−エオジン）染色試薬を用いて染色された組織標本を、顕微鏡画像取得装置１Ａにおいて明視野で拡大結像及び撮影することにより得られる顕微鏡画像であって、当該組織標本における細胞の形態を表す細胞形態画像である。ヘマトキシリンは青紫色の色素であり、細胞核、骨組織、軟骨組織の一部、漿液成分など（好塩基性の組織等）を染色する。エオジンは赤〜ピンク色の色素であり、細胞質、軟部組織の結合組織、赤血球、線維素、内分泌顆粒など（好酸性の組織等）を染色する。図３に、ＨＥ染色を行った組織標本を撮影した明視野画像の一例を示す。
蛍光画像は、特定の生体物質を特異的に標識する蛍光物質を内包したナノ粒子（蛍光粒子）を含む染色試薬を用いて染色された組織標本に対し、顕微鏡画像取得装置１Ａにおいて所定波長の励起光を照射して蛍光粒子を発光（蛍光）させ、この蛍光を拡大結像及び撮影することにより得られる顕微鏡画像である。即ち、蛍光画像に現れる蛍光は、組織標本における、特定の生体物質の発現を示すものである。図４に、蛍光画像の一例を示す。
【００２５】
＜蛍光画像の取得＞
ここで、蛍光画像の取得方法について、この蛍光画像の取得に際して用いられる染色試薬、染色試薬による組織標本の染色方法等も含めて詳細に説明する。
【００２６】
〔蛍光物質〕
蛍光画像の取得のための染色試薬に用いられる蛍光物質としては、蛍光有機色素及び量子ドット（半導体粒子）を挙げることができる。２００〜７００ｎｍの範囲内の波長の紫外〜近赤外光により励起されたときに、４００〜１１００ｎｍの範囲内の波長の可視〜近赤外光の発光を示すことが好ましい。
【００２７】
蛍光有機色素としては、フルオレセイン系色素分子、ローダミン系色素分子、Alexa  Fluor（インビトロジェン社製）系色素分子、ＢＯＤＩＰＹ（インビトロジェン社製）系色素分子、カスケード系色素分子、クマリン系色素分子、エオジン系色素分子、ＮＢＤ系色素分子、ピレン系色素分子、Texas  Red系色素分子、シアニン系色素分子等を挙げることができる。
【００２８】
具体的には、５−カルボキシ−フルオレセイン、６−カルボキシ−フルオレセイン、５，６−ジカルボキシ−フルオレセイン、６−カルボキシ−２’，４，４’，５’，７，７’−ヘキサクロロフルオレセイン、６−カルボキシ−２’，４，７，７’−テトラクロロフルオレセイン、６−カルボキシ−４’，５’−ジクロロ−２’，７’−ジメトキシフルオレセイン、ナフトフルオレセイン、５−カルボキシ−ローダミン、６−カルボキシ−ローダミン、５，６−ジカルボキシ−ローダミン、ローダミン  ６Ｇ、テトラメチルローダミン、Ｘ−ローダミン、及びAlexa  Fluor  350、Alexa  Fluor  405、Alexa  Fluor  430、Alexa  Fluor  488、Alexa  Fluor  500、Alexa  Fluor  514、Alexa  Fluor  532、Alexa  Fluor  546、Alexa  Fluor  555、Alexa  Fluor  568、Alexa  Fluor  594、Alexa  Fluor  610、Alexa  Fluor  633、Alexa  Fluor  635、Alexa  Fluor  647、Alexa  Fluor  660、Alexa  Fluor  680、Alexa  Fluor  700、Alexa  Fluor  750、BODIPY  FL、BODIPY  TMR、BODIPY  493／503、BODIPY  530／550、BODIPY  558／568、BODIPY  564／570、BODIPY  576／589、BODIPY  581／591、BODIPY  630／650、BODIPY  650／665（以上インビトロジェン社製）、メトキシクマリン、エオジン、ＮＢＤ、ピレン、Cy5、Cy5.5、Cy7等を挙げることができる。単独でも複数種を混合したものを用いてもよい。
【００２９】
量子ドットとしては、II−VI族化合物、III−V族化合物、又はIV族元素を成分として含有する量子ドット（それぞれ、「II−VI族量子ドット」、「III−V族量子ドット」、「IV族量子ドット」ともいう。）のいずれかを用いることができる。単独でも複数種を混合したものを用いてもよい。
【００３０】
具体的には、ＣｄＳｅ、ＣｄＳ、ＣｄＴｅ、ＺｎＳｅ、ＺｎＳ、ＺｎＴｅ、ＩｎＰ、ＩｎＮ、ＩｎＡｓ、ＩｎＧａＰ、ＧａＰ、ＧａＡｓ、Ｓｉ、Ｇｅが挙げられるが、これらに限定されない。
【００３１】
〔蛍光物質内包ナノ粒子〕
本実施の形態において蛍光物質内包ナノ粒子（蛍光粒子）とは、蛍光物質が樹脂やシリカを母体とするナノ粒子の内部又は表面に分散されたものをいい、蛍光物質とナノ粒子自体とが化学的に結合していても、結合していなくてもよい。
【００３２】
有機蛍光体（例えば、蛍光有機色素、量子ドット等）を内包した蛍光粒子の製造方法として、有機蛍光体を樹脂やシリカからなるナノ粒子の内部または表面に固定した、直径がナノメートルオーダーの樹脂粒子を形成させる方法を挙げることができる。この色素粒子の調製方法は特に限定されるものではなく、公知の任意の方法により作製することが可能であるが、例えば、乳化重合法により、ナノ粒子の母体をなす樹脂（熱可塑性樹脂または熱硬化性樹脂）を合成するための（コ）モノマーを（共）重合させながら、有機蛍光体を添加し、当該（共）重合体の内部または表面に当該有機蛍光体を取り込ませる方法を用いることができる。
【００３３】
ナノ粒子の母体となる熱可塑性樹脂としては、例えば、スチレン樹脂、アクリロニトリル樹脂、フラン樹脂、または、これに類する樹脂を好適に用いることができる。また、ナノ粒子の母体となる熱硬化性樹脂としては、例えば、キシレン樹脂、ポリ乳酸、グリシジルメタクリレート、メラミン樹脂、尿素樹脂、ベンゾグアナミン樹脂、ポリアミド、フェノール樹脂、多糖類またはこれに類する樹脂を好適に用いることができる。熱硬化性樹脂、特にメラミン樹脂は、キシレン等の有機溶媒を用いる脱水、透徹、封入などの処理によっても、ナノ粒子に内包させた色素の溶出を抑制することができる点で好ましい。
【００３４】
蛍光有機色素を内包したポリスチレンナノ粒子は、米国特許４３２６００８（１９８２）に記載されている重合性官能基をもつ有機色素を用いた共重合法や、米国特許５３２６６９２（１９９２）に記載されているポリスチレンナノ粒子への蛍光有機色素の含浸法を用いて作製することができる。
【００３５】
また、量子ドットをコアとし、その上にシェルを設けた量子ドットを蛍光粒子として用いることもできる。以下、本明細書中シェルを有する量子ドットの表記法として、コアがＣｄＳｅ、シェルがＺｎＳの場合、ＣｄＳｅ／ＺｎＳと表記する。例えば、ＣｄＳｅ／ＺｎＳ、ＣｄＳ／ＺｎＳ、ＩｎＰ／ＺｎＳ、ＩｎＧａＰ／ＺｎＳ、Ｓｉ／ＳｉＯ2、Ｓｉ／ＺｎＳ、Ｇｅ／ＧｅＯ2、Ｇｅ／ＺｎＳ等を用いることができるが、これらに限定されない。
量子ドットは必要に応じて、有機ポリマー等により表面処理が施されているものを用いてもよい。例えば、表面カルボキシ基を有するＣｄＳｅ／ＺｎＳ（インビトロジェン社製）、表面アミノ基を有するＣｄＳｅ／ＺｎＳ（インビトロジェン社製）等が挙げられる。
【００３６】
量子ドットを内包したポリマーナノ粒子は、ネイチャー・バイオテクノロジー１９巻６３１ページ（２００１）に記載されているポリスチレンナノ粒子への量子ドットの含浸法を用いて作製することができる。
【００３７】
本実施の形態で用いられる蛍光粒子の粒径は特に限定されないが、粒径が大きいものは、生体物質との結合が妨げられて定量結果が不正確となることがあり、また、粒径が小さいものは、１つの蛍光粒子に含まれる蛍光物質が少ないため蛍光粒子の信号がバックグラウンドノイズ（カメラのノイズや細胞の自家蛍光）に埋もれて定量が困難であることなどから、蛍光粒子の平均粒径は５０〜２５０ｎｍ程度のものが好適である。また、粒径のばらつきを示す変動係数（＝（標準偏差／平均値）×１００％）は特に限定されないが、２０％以下のものを用いることが好ましい。
なお、蛍光粒子の平均粒径の算出においては、まず、走査型電子顕微鏡（ＳＥＭ）を用いて撮影した電子顕微鏡写真から蛍光粒子の断面積を計測し、各計測値を円の面積としたときの円の直径を粒径とする。本願においては、１０００個の蛍光粒子の粒径を計測し、その算術平均を平均粒径とした。変動係数も、１０００個の粒子の粒径分布から算出した値とした。
【００３８】
〔蛍光粒子の表面修飾〕
蛍光粒子は、目的とする生体物質と特異的に結合及び／又は反応するために表面修飾を施される。目的とする生体物質は、それと特異的に結合する物質が存在するものであれば特に限定されるものではないが、代表的にはタンパク質（ペプチド）および核酸（オリゴヌクレオチド、ポリヌクレオチド）、抗体等が挙げられる。したがって、そのような目的とする生体物質に結合する物質としては、前記タンパク質を抗原として認識する抗体やそれに特異的に結合する他のタンパク質等、および前記核酸にハイブリタイズする塩基配列を有する核酸等が挙げられる。具体的には、細胞核に存在するタンパク質であるＫｉ６７に特異的に結合する抗Ｋｉ６７抗体、細胞核に存在するエストロゲン受容体（ＥＲ）に特異的に結合する抗ＥＲ抗体、細胞骨格を形成するアクチンに特異的に結合する抗アクチン抗体等があげられる。中でも抗Ｋｉ６７抗体及び抗ＥＲ抗体を蛍光粒子に結合させたものは、乳癌の投薬選定に用いることができ、好ましい。
【００３９】
表面修飾された蛍光粒子と、生体物質は、直接結合されても良いが、別の物質を介して間接的に結合されても良い。例えば、生体物質に特異的に結合する一次抗体及び、一次抗体に特異的に結合するビオチン化二次抗体を介して、ビオチンに特異的に結合するストレプトアビジンにより修飾された蛍光物質と生体物質が結合することとしても良い。
一次抗体及び二次抗体は、蛍光粒子が特定の生体物質に特異的に結合できる組み合わせの抗体を任意に用いることができ、ポリクローナル抗体、モノクローナル抗体のいずれを用いても良い。
【００４０】
特定抗原としては以下を例示することができ、各抗原を認識する抗体はさまざまな抗体メーカーから入手可能であるとともに一般的な知識に基づいて作成可能である。例示として抗原略称および対応する遺伝子IDを示す。APOE(ID:348)、HMGA2(ID:8091)、HFN1A(ID:6927)、ACE(ID:1636)、ESR1(ID:2099)、HLA-B(ID:3106)、LIPC(ID:3990)、CYP19A1(ID:1588)、UGT1A1(ID:54658)、AR(ID:367)、NFKB1(ID:4790)、PPARG(ID:5468)、HMGA1(ID:3159)、VDR(ID:7421)、THRB(ID:7068)、ETV6(ID:2120)、APOA1(ID335)、NUP153(ID:9972)、RARB(ID:5915)、NR3C1(ID:2908)、ESR2(ID:2100)、NCOA2(ID:10499)、LDLR(ID:3949)、NUP98(ID:4928)、UGT1A9(ID:54600)、NKX2-1(ID:7080)、CETP(ID:1071)、RELA(ID:5970)、RGR(ID:5241)、HLA-DRB1(ID:3123)、BMP2(ID:650)、PCNA(ID:5111)、NFE2L2(ID:4780)、TP53(ID:7157)、IL10(ID3586)、IFNG(ID:3458)、PPARA(ID:5465)、ATXN3(ID:4287)、MDC1(ID:9656)、LCORL(ID:254251)、NCOA3(ID:8202)、CRP(ID:1401)、TOMM40(ID:10452)、CXCR4(ID:7852)、APOC3(ID:345)、NFKBIA(ID:4792)、TNFSF11(ID:8600)、PCSK9(ID:255738)、CEBPB(ID:1051)、HNF4A(ID:3172)、ER、Ki67、p53、PGR、が挙げられる。
【００４１】
蛍光粒子を修飾する物質と蛍光粒子の結合の態様としては特に限定されず、共有結合、イオン結合、水素結合、配位結合、物理吸着及び化学吸着等が挙げられる。結合の安定性から共有結合等の結合力の強い結合が好ましい。
【００４２】
また、蛍光粒子を修飾する物質と蛍光粒子の間を連結する有機分子があってもよい。例えば、生体物質との非特異的吸着を抑制するため、ポリエチレングリコール鎖を用いることができ、Thermo  Scientific社製ＳＭ（ＰＥＧ）１２を用いることができる。
【００４３】
蛍光物質内包シリカナノ粒子を表面修飾する場合、蛍光物質が蛍光有機色素の場合でも、量子ドットの場合でも同様の手順を適用することができる。例えば、無機物と有機物を結合させるために広く用いられている化合物であるシランカップリング剤を用いることができる。このシランカップリング剤は、分子の一端に加水分解でシラノール基を与えるアルコキシシリル基を有し、他端に、カルボキシル基、アミノ基、エポキシ基、アルデヒド基等の官能基を有する化合物であり、上記シラノール基の酸素原子を介して無機物と結合する。具体的には、メルカプトプロピルトリエトキシシラン、グリシドキシプロピルトリエトキシシラン、アミノプロピルトリエトキシシラン、ポリエチレングリコール鎖をもつシランカップリング剤（例えば、Gelest社製PEG-silane  no．SIM6492.7）等が挙げられる。シランカップリング剤を用いる場合、二種以上を併用してもよい。
【００４４】
蛍光有機色素内包ナノ粒子とシランカップリング剤との反応手順は、公知の手法を用いることができる。例えば、得られた蛍光有機色素内包ナノ粒子を純水中に分散させ、アミノプロピルトリエトキシシランを添加し、室温で１２時間反応させる。反応終了後、遠心分離又はろ過により表面がアミノプロピル基で修飾された蛍光有機色素内包ナノ粒子を得ることができる。続いてアミノ基と抗体中のカルボキシル基とを反応させることで、アミド結合を介し抗体を蛍光有機色素内包ナノ粒子と結合させることができる。必要に応じて、EDC（1-Ethyl-3-［3-Dimethylaminopropyl］carbodiimide  Hydrochloride：Pierce（登録商標）社製）のような縮合剤を用いることもできる。
【００４５】
必要により、有機分子で修飾された蛍光有機色素内包ナノ粒子と直接結合しうる部位と、分子標的物質と結合しうる部位とを有するリンカー化合物を用いることができる。具体例として、アミノ基と選択的に反応する部位とメルカプト基と選択的に反応する部位の両方をもつsulfo-SMCC（Sulfosuccinimidyl  ４［N-maleimidomethyl］-cyclohexane-1-carboxylate：Pierce社製）を用いると、アミノプロピルトリエトキシシランで修飾した蛍光有機色素内包ナノ粒子のアミノ基と、抗体中のメルカプト基を結合させることで、抗体結合した蛍光有機色素内包ナノ粒子ができる。
【００４６】
蛍光物質内包ポリスチレンナノ粒子へ生体物質認識部位を結合させる場合、蛍光物質が蛍光有機色素の場合でも、量子ドットの場合でも同様の手順を適用することができる。すなわち、アミノ基等の官能基をもつポリスチレンナノ粒子へ蛍光有機色素、量子ドットを含浸することにより、官能基をもつ蛍光物質内包ポリスチレンナノ粒子を得ることができ、以降EDC又はsulfo-SMCCを用いることで、抗体結合した蛍光物質内包ポリスチレンナノ粒子ができる。
【００４７】
〔染色方法〕
以下、組織標本の染色方法について述べるが、本発明は組織標本に限定されるものではなく、基板上に固定した細胞等の標本にも適用可能である。
また、以下に説明する染色方法が適用できる標本の作製法は特に限定されず、公知の方法により作製されたものを用いることができる。
【００４８】
１）脱パラフィン工程
キシレンを入れた容器に組織標本を浸漬させ、パラフィンを除去する。温度は特に限定されるものではないが、室温で行うことができる。浸漬時間は、３分以上３０分以下であることが好ましい。また、必要により浸漬途中でキシレンを交換してもよい。
次いで、エタノールを入れた容器に組織標本を浸漬させ、キシレンを除去する。温度は特に限定されるものではないが、室温で行うことができる。浸漬時間は、３分以上３０分以下であることが好ましい。また、必要により浸漬途中でエタノールを交換してもよい。
次いで、水を入れた容器に組織標本を浸漬させ、エタノールを除去する。温度は特に限定されるものではないが、室温で行うことができる。浸漬時間は、３分以上３０分以下であることが好ましい。また、必要により浸漬途中で水を交換してもよい。
【００４９】
２）賦活化処理
公知の方法にならい、目的とする生体物質の賦活化処理を行う。賦活化条件に特に定めはないが、賦活液としては、０．０１Ｍ  クエン酸緩衝液（ｐＨ６．０）、１ｍＭ  ＥＤＴＡ溶液（ｐＨ８．０）、５％  尿素、０．１Ｍ  トリス塩酸緩衝液等を用いることができる。加熱機器は、オートクレーブ、マイクロウェーブ、圧力鍋、ウォーターバス等を用いることができる。温度は特に限定されるものではないが、室温で行うことができる。温度は５０−１３０℃、時間は５−３０分で行うことができる。
次いで、ＰＢＳ（Phosphate  Buffered  Saline：リン酸緩衝生理食塩水）を入れた容器に、賦活化処理後の標本を浸漬させ、洗浄を行う。温度は特に限定されるものではないが、室温で行うことができる。浸漬時間は、３分以上３０分以下であることが好ましい。また、必要により浸漬途中でＰＢＳを交換してもよい。
【００５０】
３）表面修飾された蛍光粒子を用いた染色
表面修飾された蛍光粒子のＰＢＳ分散液を組織標本に載せ、目的とする生体物質と反応させる。蛍光粒子の表面修飾を変えることにより、さまざまな生体物質に対応した染色が可能となる。数種類の表面修飾を施された蛍光粒子を用いる場合には、それぞれの蛍光粒子ＰＢＳ分散液を予め混合しておいてもよいし、別々に順次組織標本に載せてもよい。
温度は特に限定されるものではないが、室温で行うことができる。反応時間は、３０分以上２４時間以下であることが好ましい。
蛍光粒子による染色を行う前に、ＢＳＡ含有ＰＢＳ等、公知のブロッキング剤を滴下することが好ましい。
次いで、ＰＢＳを入れた容器に、染色後の組織標本を浸漬させ、未反応蛍光粒子の除去を行う。温度は特に限定されるものではないが、室温で行うことができる。浸漬時間は、３分以上３０分以下であることが好ましい。また、必要により浸漬途中でＰＢＳを交換してもよい。カバーガラスを組織標本に載せ、封入する。必要に応じて市販の封入剤を使用してもよい。
なお、ＨＥ染色試薬を用いて染色を行う場合、カバーガラスによる封入前にＨＥ染色を行う。
【００５１】
なお、上述の蛍光染色には、同一の表面修飾を施された蛍光粒子を複数種類混合したＰＢＳ分散液（混合試薬）を用いても良い。混合する蛍光粒子は、内包する蛍光物質が発する蛍光を分離して撮像できる組み合わせのものを任意に選択可能であり、任意の種類数を選択して良いが、特に、蛍光物質の励起光の波長差及び発光の波長差が、共にできるだけ大きくなるように選択することが好ましく、また、１分子の生体物質に対しては、蛍光粒子が１粒子のみ結合して、蛍光粒子が２粒子以上結合しないようにするために、蛍光粒子に内包される蛍光物質の種類のみが異なり、その他の構成（例えば、表面修飾の構造、ナノ粒子の素材、平均粒径、粒径の変動係数など）は同じとなるように作製された蛍光粒子を混合することが好ましい。
【００５２】
〔蛍光画像の取得〕
染色した組織標本に対し顕微鏡画像取得装置１Ａを用いて、広視野の顕微鏡画像（蛍光画像）を取得する。顕微鏡画像取得装置１Ａにおいて、染色試薬に用いた蛍光物質の吸収極大波長及び蛍光波長に対応した励起光源及び蛍光検出用光学フィルターを選択する。
【００５３】
＜病理診断支援システム１００の動作（画像処理方法を含む。）＞
以下、病理診断支援システム１００において、上記説明した蛍光画像及び明視野画像を取得して解析を行う動作について説明する。ここでは、ＨＥ染色試薬及び特定のタンパク質（以下、特定タンパクと呼ぶ。）を認識する生体物質認識部位が結合した蛍光粒子を含む染色試薬を用いて染色された組織標本を観察対象とする場合を例にとり説明するが、これに限定されるものではない。
【００５４】
まず、操作者は、ＨＥ染色試薬と、特定タンパクを認識する生体物質認識部位が結合した蛍光粒子を蛍光標識材料とした染色試薬との、２種の染色試薬を用いて組織標本を染色する。
その後、顕微鏡画像取得装置１Ａにおいて、（ａ１）〜（ａ５）の手順により明視野画像及び蛍光画像が取得される。
（ａ１）操作者は、ＨＥ染色試薬と蛍光粒子を含む染色試薬とにより染色された組織標本をスライドに載置し、そのスライドを顕微鏡画像取得装置１Ａのスライド固定ステージに設置する。
（ａ２）明視野ユニットに設定し、撮影倍率、ピントの調整を行い、組織上の観察対象の領域を視野に納める。
（ａ３）撮像手段で撮影を行って明視野画像の画像データを生成し、画像処理装置２Ａに画像データを送信する。
（ａ４）ユニットを蛍光ユニットに変更する。
（ａ５）視野及び撮影倍率を変えずに、励起光及びフィルターを適宜選択して、染色試薬に含まれる蛍光粒子を励起させた状態で撮像手段により撮影を行って、染色試薬が発する蛍光を撮影した蛍光画像の画像データを生成し、画像処理装置２Ａに画像データを送信する。
【００５５】
例えば２種類の表面修飾された蛍光粒子を混合した混合試薬（以下、染色試薬Ａ及びＢとする。）を用いて蛍光染色を行った場合には、（ａ４）の手順の後、以下の手順により、蛍光画像を取得する。
（ａ５）視野及び撮影倍率を変えずに、励起光及びフィルターを適宜選択して、染色試薬Ａに含まれる蛍光粒子を励起させた状態で撮像手段により撮影を行って、染色試薬Ａが発する蛍光を撮影した第一の蛍光画像の画像データを生成し、画像処理装置２Ａに画像データを送信する。
（ａ６）視野及び撮影倍率を変えずに、励起光及びフィルターを適宜選択して、染色試薬Ｂに含まれる蛍光粒子を励起させた状態で撮像手段により撮影を行って、染色試薬Ｂが発する蛍光を撮影した第二の蛍光画像の画像データを生成し、画像処理装置２Ａに画像データを送信する。
【００５６】
画像処理装置２Ａにおいては、明視野画像及び蛍光画像に基づき画像解析処理が実行される。
図５に、画像処理装置２Ａにおける画像解析処理のフローチャートを示す。図５に示す画像解析処理は、制御部２１と記憶部２５に記憶されているプログラムとの協働により実行される。
【００５７】
まず、通信Ｉ／Ｆ２４により顕微鏡画像取得装置１Ａからの明視野画像が入力されると（ステップＳ１）、明視野画像から細胞核の領域を抽出する（ステップＳ２）。
図６に、ステップＳ２における処理の詳細フローを示す。ステップＳ２の処理は、制御部２１と記憶部２５に記憶されているプログラムとの協働により実行される。
【００５８】
ステップＳ２においては、まず、明視野画像をモノクロ画像への変換する（ステップＳ２０１）。図７Ａに、明視野画像の一例を示す。
次いで、モノクロ画像に対し予め定められた閾値を用いて閾値処理を施し、各画素の値を二値化した二値化画像を生成する（ステップＳ２０２）。
【００５９】
次いで、ノイズ処理を行う（ステップＳ２０３）。ノイズ処理は、具体的には、二値画像にクロージング処理を施すことにより行うことができる。クロージング処理は、膨張処理を行ってから同じ回数分だけ収縮処理を行う処理である。膨張処理は、注目画素からｎ×ｎ画素（ｎは２以上の整数）の範囲内にある画素に１つでも白が含まれている場合に注目画素を白に置き換える処理である。収縮処理は、注目画素からｎ×ｎ画素の範囲内にある画素に１つでも黒が含まれている場合に注目画素を黒に置き換える処理である。クロージング処理により、ノイズ等の小さい領域を除去することができる。図７Ｂに、ノイズ処理後の画像の一例を示す。図７Ｂに示されように、ノイズ処理後には、細胞核が抽出された画像（細胞核画像）が生成される。
【００６０】
次いで、ノイズ処理後の画像にラベリング処理を施し、抽出された細胞核のそれぞれにラベルを付与する（ステップＳ２０４）。ラベリング処理とは、連結している画素に同じラベル（番号）を付与していくことで画像内のオブジェクトを識別する処理である。ラベリング処理により、ノイズ処理後の画像から各細胞核を識別してラベルを付与することができる。
【００６１】
一方、通信Ｉ／Ｆ２４により顕微鏡画像取得装置１Ａからの蛍光画像が入力されると（ステップＳ３：入力工程）、蛍光画像から輝点領域を抽出する（ステップＳ４）。
図８に、ステップＳ４における処理の詳細フローを示す。ステップＳ４の処理は、制御部２１と記憶部２５に記憶されているプログラムとの協働により実行される。
【００６２】
ステップＳ４においては、まず、蛍光画像から蛍光輝点の波長に応じた色成分を抽出する（ステップＳ４０１）。ステップＳ４０１では、たとえば、蛍光粒子の発光波長が６１５ｎｍである場合には、その波長成分を有する蛍光輝点のみを画像として抽出する。図９Ａに、蛍光画像の一例を示す。
【００６３】
次いで、抽出された画像に閾値処理を施し、二値化画像を生成して輝点領域を抽出する（ステップＳ４０２）。図９Ｂは、蛍光輝点を中心とした輝点領域が抽出された画像の一例である。
なお、ステップＳ４０２の閾値処理の前に細胞自家蛍光や他の不要信号成分等のノイズ除去処理が施されてもよく、ガウシアンフィルタ等のローパスフィルタや二次微分等のハイパスフィルタが好ましく用いられる。
【００６４】
次いで、抽出された輝点領域のそれぞれにラベルを付与するラベリング処理を施す（ステップＳ４０３）。
【００６５】
ステップＳ４の処理の終了後、図５の処理に戻り、ステップＳ５では、各輝点領域に含まれる蛍光粒子数を算出する。算出した輝点領域ごとの蛍光粒子数の情報は、ステップＳ４０４で付与した輝点領域のラベルの情報に追加される。
【００６６】
ステップＳ２とステップＳ５の処理の終了後、細胞核画像（図７Ｂ）と輝点領域画像（図９Ｂ）の加算処理が行われ、細胞核における輝点領域の分布が画像処理装置２Ａの表示部２３に表示されて（ステップＳ６）、一細胞核当たりの蛍光粒子数が算出される（ステップＳ７：定量工程）。
【００６７】
以上の本実施形態によれば、ステップＳ１〜Ｓ２の処理により細胞核が抽出され、ステップＳ３〜Ｓ５の処理により、各輝点領域の蛍光粒子数が算出され、ステップＳ６の処理により、細胞核上での輝点領域の分布が具体的に表示され、一細胞核当たりの蛍光粒子数が算出される。
【００６８】
なお、混合試薬を用いて蛍光染色を行って、顕微鏡画像取得装置１Ａによって複数の蛍光画像を取得した場合には、各蛍光画像に対してステップＳ３〜Ｓ７の処理を行って、蛍光画像ごとに細胞核当たりの蛍光粒子数を算出する。全ての蛍光画像に対して、ステップＳ７の処理が終了した後、蛍光画像ごとに算出された各細胞核上に存在する輝点数を加算して（加算工程）、細胞核当りの総輝点数を算出する。
【００６９】
なお、上記実施形態における記述内容は、本発明の好適な一例であり、これに限定されるものではない。
本発明は、上記実施形態の核タンパク質の定量を実施するためのキットとしての態様を含む。キットの構成要素としては、上記実施形態で用いられる蛍光粒子が含まれる。さらに、定量する核タンパク質の種類に応じて選択される一次抗体及び二次抗体が含まれることが好ましく、さらに、細胞の形態を抽出するための染色試薬（例えば、ＨＥ染色試薬）、染色工程で用いられる希釈液、封入剤、定量方法を記載した説明書などが含まれることが好ましい。
【００７０】
上記実施形態では、１種の特定タンパクのみを対象としたが、複数の特定タンパクに対し、発光波長が互いに異なる２種以上の蛍光粒子を用いてもよい。
かかる場合、上述したように、蛍光粒子の発光波長ごとに蛍光画像を取得して各蛍光画像に対してステップＳ３〜Ｓ７の処理を行っても良いし、また、例えば、ステップＳ４０１においてフィルターワーク等を用いてそれぞれの色成分を抽出し、その抽出した色成分（波長成分）ごとにステップＳ４０２〜Ｓ５の処理を実行し、ステップＳ６〜Ｓ７において、細胞画像と色成分毎に作成された蛍光粒子画像とを加算して、各色成分の蛍光粒子数を算出してもよい。
【００７１】
また、上記実施形態では、混合試薬として、同一の表面修飾を施された蛍光粒子を２種類混合したＰＢＳ分散液を例として説明したが、３種類以上の蛍光粒子を混合しても良い。
混合する蛍光粒子の色数が多いほど、隣接する特定タンパクが異なる蛍光粒子により染め分けられる確率が増加するため、高密度に分布した蛍光物質を分離して算出される確率が高まり、正確な定量が可能となる。
【００７２】
また、上記の説明では、本発明に係るプログラムのコンピュータ読み取り可能な媒体としてＨＤＤや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを、通信回線を介して提供する媒体として、キャリアウエーブ(搬送波)も適用される。
【００７３】
その他、病理診断支援システム１００を構成する各装置の細部構成及び細部動作に関しても、発明の趣旨を逸脱することのない範囲で適宜変更可能である。
【実施例】
【００７４】
（Ａ）蛍光物質内包メラミンナノ粒子の作製
蛍光物質としてＡｌｅｘａ４８８(ライフテクノロジーズ社製)２．５ｍｇを水２２．５ｍＬに加えた後、ホットスターラー上で70℃で20分間加熱し、メラミン樹脂ニカラックＭＸ−０３５(日本カーバイド工業社製、重量平均重合度：１．５)１．５ｇを加え、さらに５分間加熱撹拌した。ギ酸１００μLを加え、６０℃で２０分間加熱撹拌した後、室温で放冷した。冷却後、反応混合物を遠心用チューブに入れて遠心分離機に１２，０００ｒｐｍで２０分間かけ、上澄みを除去した。この粒子を１ｍ１の純水中に再分散して、蛍光物質内包メラミンナノ粒子としてブチルヒドロキシトルエン・色素内包メラミン樹脂ナノ粒子を得た。
得られたＡｌｅｘａ４８８内包ナノ粒子を走査型電子顕微鏡（ＳＥＭ；日立社製  Ｓ−８００型）で観察したところ、平均粒径は１５０ｎｍであった。【００７５】
（Ｂ）蛍光粒子の表面修飾
上記（Ａ）で得られた蛍光物質内包メラミンナノ粒子０．１ｍｇをＥｔＯＨ１．５ｍＬ中に分散し、アミンプロピルトリメトキシシランＬＳ−３１５０（信越化学工業社製）２μＬを加えて８時間反応させて表面アミノ化処理を行なった。
次いで、ＥＤＴＡ（エチレンジアミン四酢酸）を２ｍＭ含有したＰＢＳ（リン酸緩衝液生理的食塩水）を用いて３ｎＭに調整し、この溶液に最終濃度１０ｍＭとなるようＳＭ（ＰＥＧ）１２（サーモサイエンティフィック社製、succinimidyl-［（N-maleomidopropionamid）-dodecaethyleneglycol］ester）を混合し、１時間反応させた。この混合液を１０，０００Ｇで２０分遠心分離を行い、上澄みを除去した後、ＥＤＴＡを２ｍＭ含有したＰＢＳを加え、沈降物を分散させ、再度遠心分離を行った。同様の手順による洗浄を３回行うことで末端にマレイミド基が付いた蛍光物質内包メラミンナノ粒子を得た。
一方、ストレプトアビジン（和光純薬社製）をN-succinimidyl  S-acetylthioacetate（ＳＡＴＡ）を用いてチオール基付加処理を行ったのち、ゲルろ過カラムによるろ過を行い、蛍光物質内包メラミンナノ粒子に結合可能なストレプトアビジン溶液を得た。
上記の蛍光物質内包メラミンナノ粒子とストレプトアビジンとを、ＥＤＴＡを２ｍＭ含有したＰＢＳ中で混合し、１時間反応させた。１０ｍＭメルカプトエタノールを添加し、反応を停止させた。得られた溶液を遠心フィルターで濃縮後、精製用ゲルろ過カラムを用いて未反応ストレプトアビジン等を除去し、ストレプトアビジン結合蛍光物質内包メラミンナノ粒子を作成した。作成したストレプトアビジン結合蛍光物質内包メラミンナノ粒子は４℃で保存し、組織染色に使用する直前に、超音波分散及びブロッキング溶液（Dako社製  抗体希釈用緩衝液、Antibody  Diluent  with  Background  Reducing  Components、製造番号S3022）を用いた希釈を行い、ナノ粒子の最終濃度が0.2nMとなるように調整した染色試薬を作成した。【００７６】
（Ｃ）組織染色
ヒト乳房組織をホルマリン固定及びパラフィン包埋した組織アレイ（US-BioMax社製、商品名：パラフィン包埋乳がん組織アレイ、商品番号：BR243）中の、同一検体の隣接切片を、以下の手順により染色した。
まず、組織標本に対し、キシレンを用いた脱パラフィン処理、及びキシレンを除去する親水処理を行った。次いで、クエン酸バッファー（pH6.0）に入れた組織標本を加熱（１２１℃、5分間）して賦活化した。【００７７】
次いで、組織標本をＰＢＳで洗浄し、上記ブロッキング溶液を室温で１５分間反応させてブロッキングした後、表１及び表２に記載されている組み合わせの一次抗体及び二次抗体を反応させた。
具体的には、例えば、一次抗体としてＫｉ６７を抗原とするマウスモノクローナル抗体であるＭＩＢ−１（Ｄａｋｏ社製）を上記ブロッキング溶液で希釈して０．６１μｈ／ｍｌとした試薬を、ブロッキング後の組織標本にのせて、４℃で一晩放置した。組織標本をＰＢＳで洗浄した後、二次抗体として、モノクローナル抗マウス抗体であるLO-MG1-13（ＡｂＤ社製、Ｎｏ．ＭＣＡ１２８９）のビオチン標識体を上記ブロッキング溶液で希釈して２μｇ／ｍｌとした試薬を組織標本にのせて、室温で30分放置した。なお、二次抗体のビオチン標識は定法に従い、Biotin  Labeling  Kit-SH（同仁科学研究所社製、製品コード：LK10）を使用して実施した。【００７８】
一次抗体及び二次抗体を反応させた組織標本に、（Ｂ）で作成した染色試薬をのせて室温で３０分〜１時間放置し、洗浄した後、４％パラホルムアルデヒドを室温で１０分間反応させることにより、蛍光粒子を組織標本に固定して、蛍光染色を実施した。
次いで、市販のＨＥ染色試薬を用いた細胞核の染色、及びエンテランニュー（メルク社製）を用いた封入を行った。【００７９】
表１及び表２に記載されている一次抗体及び二次抗体の組み合わせについても、それぞれ市販の試薬を用いて、公知の方法により組織標本に反応させた。表１に記載されている一次抗体（抗Ki67抗体）及び二次抗体の組み合わせにより、Ｋｉ６７を特定タンパクとして蛍光染色し、表２に記載されている一次抗体（抗ER抗体）及び二次抗体の組み合わせにより、ＥＲを特定タンパクとして蛍光染色することが可能である。
なお、表１及び表２には、各抗体の名称として、モノクローナル抗体についてはクローン名、ポリクローナル抗体については商品コードが記載されている。一次抗体のクローン名の下の括弧内には、一次抗体を作成した動物種（ホスト）が示されている。SP6、EPR3610、B126.1、4A1、5D7、RG-16、SB115h、SB77e、6F11、14C8、1D5、Ab15580、Ab97109、Ab97042、Ab97052、Ab97047、Ab97106、及びAb30656はアブカム社製、LO-MG7はアクリスアンチボディーズ社製、LO-RG1及びLO-MG2a-7はAbD社製、Sc-7877はサンタクルーズバイオテクノロジー社製、LS-C178370はライフスパンバイオサイエンス社製である。【００８０】
また、蛍光粒子を用いて染色した組織切片に隣接する組織切片に対して、従来のＤＡＢ法を用いた組織染色を行い、蛍光粒子を用いた本発明の染色結果と比較した。【００８１】
（Ｄ）画像解析処理
ニコン社製超解像顕微鏡  N-SIMを用いて、染色された組織標本の顕微鏡画像（明視野画像及び蛍光画像）を取得した。蛍光画像は、励起波長４９０ｎｍの励起光下、中心波長約５４０ｎｍの蛍光を撮影した画像である。【００８２】
取得した明視野画像から、ヘマトキシリン染色に基づいて、細胞核の領域を抽出した。
また、取得した蛍光画像から、特開２０１３−５７６３１号公報に記載の方法により、輝点数の計測を行った。具体的には、取得した蛍光画像から、予め設定された上限閾値および下限閾値に基づいて、輝点領域が抽出された２値化画像を作成した。この上限・下限閾値は、例えば、大津の判別分析法（大津展之;判別及び最小2乗基準に基づく自動しきい値選定法、電子通信学会論文誌、Vol.J63-D,  No4,  pp.349-356,  1980）による２値化などのような統計的閾値決定法を利用してもよい。作成された２値化画像に、ジーオングストローム社製の輝点計測ソフト「G-count」を用いて輝点領域当たりの輝点数を計測した。
次いで、明視野画像と蛍光画像とを重ね合わせ、１画像当たりの細胞核内及び細胞核外の領域に発現する輝点数を算出した。【００８３】
（Ｅ）実験結果
本発明の蛍光粒子を用いた蛍光染色と、ＤＡＢ法による染色の結果を、同じ一次抗体及び二次抗体の組み合わせを用いた場合で比較すると、本発明の方法によれば、特定タンパク（Ｋｉ６７及びＥＲ）の発現率（全細胞のうち、特定タンパクを発現している細胞の割合）の評価に関しては、ＤＡＢ法と同等の評価が得られた。【００８４】
さらに、細胞核領域当たりの特定タンパクの発現量を定量的に評価したところ、ＤＡＢ法によれば、特定タンパクの発現率が同程度の標本であっても、定量結果のばらつきが大きく、安定した定量評価を行うことができなかった。一方、蛍光粒子を用いた本発明の方法によれば、特定タンパクの発現率の大小に応じて定量結果の違いがあった。また、本発明の方法によれば、発現量を蛍光輝点の数として計測できるという観点からも、計測者や計測システムが異なる場合でも誤差が少なく、定量の再現性が高かった。【００８５】
以下、本発明の方法による特定タンパクの定量精度について、さらに詳細な評価を示す。
表１及び表２は、それぞれ、本発明の方法を用いてＫｉ６７及びＥＲを蛍光染色した標本における１画像当たりの細胞核外の輝点数に基づく評価を示す。細胞核外の輝点数が９個以下の場合は◎、１０〜９９個の場合は○、１００〜２００個の場合は△と評価する。「―」は、評価を行っていないことを示す。【００８６】
Ｋｉ６７及びＥＲは、細胞核内に発現するたんぱく質であるため、細胞核外の輝点は、Ｋｉ６７及びＥＲの発現を示すものではなく、非特異的に染色されたノイズを示す。ノイズ（細胞核外の輝点数）が少ないほど、細胞核内の輝点に関してもノイズが少ないことが示唆され、定量精度が高いと考えられる。【００８７】
【表１】
2016117466.tif 000003
【００８８】
表１より、蛍光粒子を含む染色試薬を用いてＫｉ６７を染色することにより、標本中のＫｉ６７を自動的に定量することができた。また、組織標本として同一検体の隣接切片を用いているため、細胞核内の輝点数はいずれの一次抗体及び二次抗体の組み合わせにおいてもほぼ同じであると考えられる。実際に計測された１画像当たりの細胞核内の輝点数は、いずれも約２５００個であり、ほぼ同じ値であった。従って、本発明の方法によれば、抗体の組み合わせに関わらず、安定した定量結果が得られる。【００８９】
また、一次抗体または二次抗体のいずれか一方がモノクローナル抗体であった場合には、一次抗体及び二次抗体が共にポリクローナル抗体であった場合と比較して、ノイズ（細胞核外の輝点数）が少ない（評価：○又は◎）場合が多いことから、細胞核内の輝点においてもノイズが少ないことが示唆され、定量精度が高いと考えられる。さらに、一次抗体及び二次抗体がともにモノクローナル抗体であった場合には、すべての組み合わせにおいて、細胞核外の輝点数が９個以下（評価：◎）であり、細胞核内の輝点数が約２５００個であったことを考慮すれば、本発明の方法による定量精度は極めて高いと考えられる。【００９０】
【表２】
2016117466.tif 000004
【００９１】
表２より、蛍光粒子を含む染色試薬を用いてＥＲを染色することにより、標本中のＥＲを自動的に定量することができた。また、組織標本として同一検体の隣接切片を用いているため、細胞核内の輝点数はいずれの一次抗体及び二次抗体の組み合わせにおいてもほぼ同じであると考えられるが、実際に計測された１画像当たりの細胞核内の輝点数は、いずれも約１２００個であり、ほぼ同じ値であった。従って、本発明の方法によれば、抗体の組み合わせに関わらず、安定した定量結果が得られる。【００９２】
また、一次抗体または二次抗体のいずれか一方がモノクローナル抗体であった場合には、一次抗体及び二次抗体が共にポリクローナル抗体であった場合と比較して、ノイズ（細胞核外の輝点数）が少ない（９９個以下、評価：○）場合が多いことから、細胞核内の輝点においてもノイズが少ないことが示唆され、定量精度が高いと考えられる。さらに、一次抗体及び二次抗体がともにモノクローナル抗体である４例においては、いずれも細胞核外の輝点数が９９個以下（評価：○又は◎）であり、さらに、４例中２例においては、細胞核外の輝点数は９個以下（評価：◎）であった。細胞核内の輝点数が約１２００個であったことを考慮すれば、本発明の方法による定量精度は極めて高いと考えられる。【００９３】
一般的に、複数種類の抗体を混在して含むポリクローナル抗体を用いた免疫染色は、抗原上の複数の抗原決定基に抗体が反応できるため、染色効率が高く、特定タンパクの発現を高感度に検出できる。一方、１種類の抗体からなるモノクローナル抗体は、抗原上の１種類の抗原決定基にのみ反応して、特異性が高くノイズは少ないものの、従来の蛍光色素や酵素を用いた染色の場合、特定タンパクの発現を示す輝点の輝度や酵素反応による発色が微弱であるため、定量が困難であった。しかし、本発明の定量方法によれば、蛍光粒子の１粒子当たりの輝度が高いため、モノクローナル抗体を用いた染色であっても感度よく生体物質を検出可能であり、定量が容易となる。さらに、本発明の定量方法によれば、モノクローナル抗体を用いることにより、ポリクローナル抗体を用いた場合と比較して細胞核外の輝点数が少なく、すなわちノイズが少ないため正確な定量結果が得られて好ましいという結果が得られた。【００９４】
［変形例］
Ａｌｅｘａ４８８の代わりにＡｌｅｘａ６４７（ライフテクノロジーズ社製）を用いた他は、実施例の（Ａ）〜（Ｂ）と同様の手順により、Ａｌｅｘａ６４７を内包するストレプトアビジン結合蛍光物質内包メラミンナノ粒子を作成し、これを０．２ｎＭ含む染色試薬を作成した。さらに、実施例で作成したＡｌｅｘａ４８８を用いた染色試薬と同量ずつ混合して、２種類の蛍光粒子の合計濃度が０．２ｎＭとなるように調整した混合試薬を準備した。
次いで、実施例の（Ｃ）の染色工程において、染色試薬として混合試薬を用いた他は同様にして、組織染色を実施した。【００９５】
次いで、励起波長４９０ｎｍ励起光下、中心波長薬５４０ｎｍの蛍光を撮影した蛍光画像及び、６５０ｎｍの励起光下、中心波長約６６５ｎｍの蛍光を撮影した蛍光画像を取得し、各蛍光画像に対して、（Ｄ）と同様の画像解析処理を実施して蛍光画像毎に細胞核内及び細胞核外の領域に発現する輝点数を算出し、さらに、算出された細胞核内及び細胞核外の輝点数を全て加算して、細胞核内及び細胞核外の輝点数の総数を算出した。【００９６】
（実験結果）
実施例と同様の、特定タンパクの発現率をＤＡＢ法による染色法と比較する評価、及び１画像当たりの細胞核外輝点数に基づく定量精度の評価については、実施例と同等の結果が得られた。
１画像当たりの細胞核内の輝点数はいずれの標本においてもほぼ同じであり、その数は約１００００個であった。このように、蛍光波長の異なる２種類の蛍光粒子を用いたことにより、実施例よりも多数の輝点数が計測された理由は、以下のように考察される。【００９７】
染色に用いる蛍光粒子の平均粒径が小さく、かつＫｉ６７やＥＲのように高密度に発現している生体物質を染色対象とする場合には、蛍光粒子が顕微鏡の解像度よりも近接して存在する可能性が高い。このような場合に、蛍光染色に用いる蛍光粒子の色数が１つであると、近接した蛍光粒子は１つの輝点として観察され、蛍光粒子の１つ１つを分離して計測できない。すなわち、検出できる輝点数には、顕微鏡の解像度に基づく限界があった。
しかし、本変形例では、蛍光波長の異なる２種類の蛍光粒子を用いて染色を行うことにより、複数の蛍光粒子が顕微鏡の解像度よりも近接して存在している場合であっても、これらの蛍光粒子の蛍光波長が異なっていれば、分離した輝点として分離して計測できる。そのため、輝点数がより正確に計測できるようになったと考察できる。【００９８】
つまり、本変形例のような混合試薬を用いた定量方法によれば、上述したような顕微鏡の解像度に基づく限界（超解像顕微鏡の場合には、約１００ｎｍ）よりも平均粒径が小さい蛍光粒子を用いて染色を行った場合であっても、高精度の定量が可能である。【００９９】
以上のように、本発明の生体物質定量方法によれば、蛍光粒子の輝点数に基づいて特定タンパクの発現量を正確に定量することができる。
さらに、一次抗体及び二次抗体の少なくとも一方、好ましくは両方をモノクローナル抗体とすれば、特定タンパクに非特異的な輝点が減少し、定量結果の信頼度が高い。【０１００】
また、本発明の方法で定量される生体物質は、Ｋｉ６７及びＥＲタンパクに限定されるものではない。また、診断対象となる病変（がん）種に応じて、蛍光画像を取得する際の生体物質認識部位を異なるものとすれば、病変種に応じた生体物質の発現量を定量的に示す特徴量を医師に提供することが可能となる。
【産業上の利用可能性】
【０１０１】
本発明は、病理診断に用いる画像の画像解析処理に好適に利用することができる。
【符号の説明】
【０１０２】
１Ａ    顕微鏡画像取得装置
２Ａ    画像処理装置
３Ａ    ケーブル
２１    制御部
２２    操作部
２３    表示部
２４    通信Ｉ／Ｆ
２５    記憶部
２６    バス
１００  病理診断支援システム
【図１】
2016117466.tif 000005
【図２】
2016117466.tif 000006
【図３】
2016117466.tif 000007
【図４】
2016117466.tif 000008
【図５】
2016117466.tif 000009
【図６】
2016117466.tif 000010
【図７Ａ】
2016117466.tif 000011
【図７Ｂ】
2016117466.tif 000012
【図８】
2016117466.tif 000013
【図９Ａ】
2016117466.tif 000014
【図９Ｂ】
2016117466.tif 000015
【国際調査報告】
2016117466.tif 000016
2016117466.tif 000017
2016117466.tif 000018
2016117466.tif 000019